(57)【特許請求の範囲】
【請求項１】
基準ゲージおよび検査対象ゲージと称される少なくとも２つの物体（２、３）の移動装置（１）であって、測定機器（４）によるこれらゲージの寸法比較のために、前記移動装置（１）が、
-   基準ゲージ（２）および検査対象ゲージ（３）、しかも測定に関わるそれらの面（２Ａ、２Ｂ、３Ａ、３Ｂ）の１つ（２Ａ、３Ａ）に共通の支承および滑り面（Ｐ）を規定し測定テーブルと称される支持台（５）と、
-   一方で、測定テーブル（５）上に位置し、かつゲージの側面（２Ｌ、３Ｌ）と協働ししかもそれらの自由支承部を測定テーブル（５）上で保護しつつこれらを所定の位置および方向に保持するために配置された止め具（６１Ａ、６２Ａ）を有し、他方で、前記テーブル（５）上で可動である、シャブロンと称される部品（６）とから成る装置において、
前記シャブロン（６）は、少なくとも２つの別個の部品（６１，６２）で構成され、これらは相互に別々に移動されることができ、そのうち、
-   第１の部品（６１）は、測定テーブル（５）上で基準ゲージ（２）の側面を保持するための止め具から成り、
-   第２の部品と称される少なくとも１つの別の部品（６２）は、少なくとも１つの検査対象ゲージの側面を保持するための止め具から成ることを特徴とする装置。
【請求項２】
基準ゲージおよび検査対象ゲージと称される少なくとも２つの物体（２、３）の移動装置（１）であって、測定機器（４）によるこれらゲージの寸法比較のために、前記移動装置（１）が、
-   基準ゲージ（２）および検査対象ゲージ（３）、しかも測定に関わるそれらの面（２Ａ、２Ｂ、３Ａ、３Ｂ）の１つ（２Ａ、３Ａ）に共通の支承および滑り面（Ｐ）を規定し測定テーブルと称される支持台（５）と、
-   一方で、測定テーブル（５）上に位置し、かつゲージの側面（２Ｌ、３Ｌ）と協働ししかもそれらの自由支承部を測定テーブル（５）上で保護しつつこれらを所定の位置および方向に保持するために配置された止め具（６１Ａ、６２Ａ）を有し、他方で、前記テーブル（５）上で前記支承面（Ｐ）に平行な少なくとも１つの軸線（Ａ１、Ａ２、Ａ３）に従って可動であり、前記測定テーブル（５）上での前記ゲージの移動を可能にする、シャブロンと称される部品（６）から成る装置において、前記シャブロン（６）は、少なくとも２つの別個の部品（６１，６２）で構成され、これらは相互に別々に移動されることができ、そのうち、
-   第１の部品（６１）は、一方で、測定テーブル（５）上で基準ゲージ（２）の側面を保持するための止め具から成り、他方で、前記第１の移動軸線（Ａ１）に従って案内手段（７）と協働し、
-   第２の部品（６２）と称される少なくとも１つの別の部品は、一方で、少なくとも１つの検査対象ゲージの側面を保持するための止め具から成り、他方で、測定テーブル（５）に平行な２本の交差した軸線（Ａ２、Ａ３）に従って案内手段（８）と協働し、前記軸線（Ａ２、Ａ３）の少なくとも一方（Ａ２）は前記第１の軸線（Ａ１）に平行であることを特徴とする装置。
【請求項３】
基準ゲージおよび検査対象ゲージと称される少なくとも２つの物体（２、３）の移動装置（１）であって、測定機器（４）によるこれらゲージの寸法比較のために、前記移動装置（１）が、
-   基準ゲージ（２）および検査対象ゲージ（３）、しかも測定に関わるそれらの面（２Ａ、２Ｂ、３Ａ、３Ｂ）の１つ（２Ａ、３Ａ）に共通の支承および滑り面（Ｐ）を規定し測定テーブルと称される支持台（５）と、
-   一方で、測定テーブル（５）上に位置し、かつゲージの側面（２Ｌ、３Ｌ）と協働ししかもそれらの自由支承部を測定テーブル（５）上で保護しつつこれらを所定の位置および方向に保持するために配置された止め具（６１Ａ、６２Ａ）を有し、他方で、前記テーブル（５）上で前記支承面（Ｐ）に平行な少なくとも１つの軸線（Ａ１、Ａ２、Ａ３）に従って可動であり、前記測定テーブル（５）上での前記ゲージの移動を可能にする、シャブロンと称される部品（６）から成る装置において、
-   シャブロン（６）は少なくとも２つの別個の部品（６１、６２）で構成されており、これらは相互に別々に移動させることができ、そのうちの１つの第１の部品（６１）および少なくとも１つの第２の部品（６２）は並置可能であり、その目的のために、２本の平行軸線（Ａ１、Ａ２）に従っての移動の際に、部品（６１、６２）の一方が他方を押すことができるように協働する移動用留め具（６１Ｂ、６２Ｂ）を対面して有し、
-   シャブロン（６）の第１の部品（６１）は、一方では、測定テーブル（５）上で基準ゲージ（２）の側面を保持するための止め具（６１Ａ）を含み、他方では、第１の移動軸線（Ａ１）に従って案内手段（７）と協働し、
-   シャブロン（６）の各第２の部品（６２）は、一方では、少なくとも１つの検査対象ゲージ（３）３の側面を保持するための止め具（６２Ａ）を含み、他方では、
測定テーブル（５）に平行な２本の軸線（Ａ２、Ａ３）に従って案内手段（８）と協働し、これらの軸線（Ａ２、Ａ３）の少なくとも一方（Ａ２）は前記第１の軸線（Ａ１）と平行であることを特徴とする装置。
【請求項４】
シャブロン（６）の少なくとも一つの前記第２の部品（６２）には、直接又は間接的に該補助手段（９）を配置するものであって、
該補助手段（９）は、シャブロンの第１の部品又は第２の部品の一つが他の部品を押すことによる少なくとも一つの軸線（Ａ２、Ａ３）に沿った同時移動のコースを導くことに対して影響を与えるものであることを特徴とする請求項２又は３のいずれかに記載の装置。
【請求項５】
シャブロン（６）の第２の部品（６２）は、補助手段（９）の少なくとも１つの要素（９Ａ、９Ｂ）から成ることを特徴とする請求項４に記載の装置。
【請求項６】
- シャブロン（６）の第１の部品（６１）は、１つのプレート（６１）で構成され、これはほぼ長方形の四辺形であり、一方では、周囲の面が基準ゲージ（２）の側面を保持するための止め具（６１Ａ）を構成するカット面を含み、他方では、第１の移動軸線（Ａ１）に従って案内手段（７）と協働し、
-   シャブロン（６）の少なくとも１つの第２の部品（６２）は、１つのプレート（６２）で構成され、これは、一方では、周囲の面が検査対象ゲージ（３）の側面を保持するための止め具（６２Ａ）を構成するカット面を含み、他方では、測定テーブル（５）に平行な２本の交差した軸線（Ａ２、Ａ３）に従って案内手段（８）と協働し、これらの軸線（Ａ２、Ａ３）の少なくとも一方（Ａ２）は前記第１の軸線（Ａ１）に平行であり、
-   前記プレートは、方向付けられかつそれらの案内手段と連結されており、これらが協働できる２つの縁部（６１Ｂ、６２Ｂ）を対面させ、平行軸線（Ａ１、Ａ２）に従っての移動の際に部品（６１、６２）の一方が他方を押せるようになっていることを特徴とする請求項２〜５のいずれか１項に記載の装置。
【請求項７】
案内手段（９）を備えたシャブロン（６）の第２の部品（６２）を構成するプレートは、側面（９Ａ）がカム経路（９Ａ）を構成しているカット面（６２Ｃ）から成り、他方で、読取装置（９Ｂ）は、測定テーブル（５）に少なくとも間接的に連結されたローラを構成することを特徴とする請求項６に記載の装置。
【請求項８】
請求項１〜７のいずれか１項に記載の、基準および検査対象ゲージと称される少なくとも２つの物体（２、３）の移動装置を備えた測定機器による物体の寸法比較のための方法であって、
-   基準ゲージ（２）をシャブロンの第１の部品（６１）のカット面に配置し、少なくとも１つの検査対象ゲージ（３）をシャブロンの第２の部品（６２）のカット面に配置し、
-   シャブロン（６）の第１の部品（６１）の移動により、基準ゲージ（２）を少なくとも１つの探触子（４Ａ、４Ｂ）に接触させ、とりわけ次いで、
-   シャブロン（６）の第２の部品（６２）への作用により、シャブロンの第１の部品（６１）と基準ゲージ（２）を移動させ、検査対象ゲージ（３）がそれにより置き換えられるようにし、次いで
-   ふたたびシャブロン（６）の第２の部品（６２）の移動により、検査対象ゲージを別の測定位置へ移動することを特徴とする方法。
【請求項９】
-   一方で、
・検査対象ゲージ（３）の公称寸法とは別の公称寸法の基準ゲージ（２）、すなわち公称寸法が検査対象ゲージ（３）とは明らかに差がある基準ゲージ（２）、および
・測定機器（４）であって、その少なくとも１つの探触子（４Ａ、４Ｂ）が測定方向に、基準ゲージと検査対象ゲージとの公称寸法差のような大きな距離を高精度で移動させることができる測定機器（４）を用い、
-   他方で、少なくとも１つの探触子を基準ゲージ（２）上に支承することにより測定機器（４）を校正した後、基準ゲージ（２）の公称寸法と検査対象ゲージ（３）の公称寸法との差だけ前記探触子を移動し、次いで、公称寸法差に起因する探触子の移動値を積分しつつ測定を実施することを特徴とする請求項８に記載の方法。
【請求項１０】
測定機器（４）には、少なくとも一つの高精度の増分センサーを備えていることを特徴とする請求項９に記載の方法。
【発明の詳細な説明】
【０００１】
本発明は、少なくとも２つの物体の寸法を測定器により比較するための物体移動装置および該装置を用いた寸法比較方法に関する。
【０００２】
本発明は特に、ただし非排他的に、新品であっても既に使用済みのものであっても、ブロックゲージの寸法管理の分野に関する。
【０００３】
本発明の装置は、基準ゲージおよび同じ長さの測定対象ゲージとの従来の比較を対象とするのが有利であるが、一意な基準ゲージおよび長さが異なる測定対象ゲージとの比較も対象とする。
【０００４】
ブロックゲージは、長さと称される非常に正確な距離で離間された少なくとも２つの面を有する物体である。
【０００５】
ブロックゲージは、例えば機械製造工場で、とりわけ長さの測定に現在用いられている非常に高精度の物体である。
【０００６】
規格ＩＳＯ３６５０の表現では、ブロックゲージは、耐磨耗性材料で作られた通常は矩形断面の具体化された尺度であって、平滑かつ相互に平行な２つの測定面を有し、これは他のブロックゲージの測定面と密着して組合せ体を構成するか、あるいは長さ測定に用いられる補助平面の同じ仕上げの他の平滑な表面に密着しなければならない。
【０００７】
同様に、規格ＩＳＯ３６５０の表現では、ブロックゲージの長さは、取り決めで、１つの測定面のあらゆる特定の点と同材質かつ同じ表面状態の補助平面の平滑表面との間の距離であって、前記補助表面上に別の測定面が並置される。
【０００８】
そのようなブロックゲージは、しばしば手で取り扱われかつ相互に接触および／または他の物体と接触させられる。
【０００９】
これらの機械的接触は、ゲージの長さを決定する面を徐々に摩滅させる。
【００１０】
そのような摩滅は、それが微小なものであっても、ゲージの長さを変え、測定誤差を引き起こす。
【００１１】
従って、異常な摩滅を呈するゲージが特定され、使用されないようにするために、ゲージが定期的に検査されることがぜひとも必要である。
【００１２】
この検査については、一方で、用いられる各ゲージの長さを決定する対向面の間隔を、他方で、基準ゲージの対向面の間隔と比較することが公知である。
【００１３】
従来、ゲージ長さの測定は、多数の点対の点の間で行なわれ、例えば、直方体ゲージについては、対向面の対角線の頂点に位置する点の間、およびこれらの面の対角線の交点に位置する点の間である。
【００１４】
この目的のため、
-   基準ゲージおよび測定対象ゲージ、しかも測定に関わるそれらの面の１つに共通の支承および滑り面を規定する測定テーブルと称される支持台と、
-   一方で、測定テーブルの上に位置し、かつゲージの側面と協働ししかもそれらの自由支承部を測定テーブル上で保護しつつこれらを所定の位置および方向に保持するために配置された止め具を有し、他方で、ゲージの同時移動が可能になるように、案内手段によって支承面と交わる平行な２本の軸線に従って運ばれる、シャブロンと称される部品とから成る装置が用いられる。
【００１５】
-   測定機器の２つの探触子の間への基準ゲージの位置決めであって、前記ゲージの対向面に前記探触子を各々支承させることによる前記ゲージ表面での読み取りを可能にするための位置決め、および
-   基準ゲージの移動および検査対象ゲージの移動であって、これらを互いに置き換えかつ検査対象ゲージを前記探触子間に、しかも各読み取り位置に連続的に置くようにする移動を可能にする２つのゲージの同時移動を引き起こすため、好ましくは、前記装置は、優先的な進行に従ってのシャブロン移動の案内補助手段から成る。
【００１６】
そのような移動装置を備えた測定機器は信頼性が極めて高くかつその使用は同様に単純かつ迅速である。
【００１７】
最新技術のこの装置により良好な結果が与えられるが、各基準ゲージにある程度の摩耗を引き起こす難点があるといわれる。なぜならば、基準ゲージは検査対象ゲージ上で実施される読み取り中に測定テーブルを支承したままだからである。
【００１８】
本発明が目指す結果は、正確にはゲージの移動装置であって、公知の装置の諸利点を有すると共に、基準ゲージの摩耗を著しく低減するものである。
【００１９】
この目的のため、本発明は移動装置に関し、とりわけ、シャブロンが相互に別々に移動され得る少なくとも２つの別個の部品、すなわち
-   測定テーブル上で基準ゲージの側面を保持するための止め具から成る第１の部品と、
-   少なくとも１つの検査対象ゲージの側面を保持するための止め具から成る第２の部品と称される少なくとも１つの別の部品とで構成されていることを特徴とする装置に関する。
【００２０】
本発明は同様に、前記移動装置を用いた寸法比較方法にも関する。
【００２１】
本発明は、添付図面について非限定的な例としてなされる以下の説明により正しく理解されるであろう。
【００２２】
図面について見ると、移動装置１は、ゲージと称される少なくとも２つの物体２、３の寸法を測定機器４を用いて比較するためのものである。
【００２３】
より詳細には、前記物体２、３はブロックゲージ、すなわち各々が長さと称される非常に正確な距離で離間された少なくとも２つの平行面２Ａ、２Ｂ、３Ａ、３Ｂを有するゲージである。
【００２４】
以下の説明では、ゲージという用語を、所定の距離で離間された２つの平行面２Ａ、２Ｂ、３Ａ、３Ｂを有する物体を一般に指し示すために用いる。
【００２５】
移動装置１は測定機器４に備えるもので、これは多数のゲージ３の長さを、各検査対象ゲージ３の長さを決定する対向面３Ａ、３Ｂの間隔と基準ゲージ２の対向面２Ａ、２Ｂの間隔とを比較して検査する。
【００２６】
装置１は、
-   基準ゲージ２および測定対象ゲージ３、しかも測定に関わるそれらの面２Ａ、２Ｂ、３Ａ、３Ｂの１つ２Ａ、２Ｂに共通の支承および滑り面（Ｐ）を規定し、測定テーブル５と称される支持台５と、
-   一方で、測定テーブル５の上に位置しかつゲージの側面２Ｌ、３Ｌと協働し、しかもそれらの自由支承部を測定テーブル５上で保護しつつ、ゲージを測定機器４に対して所定の位置および方向に保持するために配置された止め具６１Ａ、６２Ｂを有し、他方で、前記測定−テーブル５上で可動でありとりわけゲージ２、３の前記測定テーブル５上での移動を可能にし、これらを測定機器４の少なくとも１つの探触子４Ａ、４Ｂのレベルにすることができる、シャブロンと称される部品６とから成る。
【００２７】
有利には、シャブロンと称される部品６は、支承面Ｐに平行な少なくとも１つの軸Ａ１、Ａ２、Ａ３に従って可動であり、前記測定テーブル５上でのゲージ２、３の移動を可能にし、これらを測定機器４の少なくとも１つの探触子４Ａ、４Ｂと接触させ得るものである。
【００２８】
例えば、測定テーブル５は基準判定棒（ｐｉｇｅ）と称される多数の円筒状ロッドの縦方向の母線で構成されており、本発明による移動装置に備えられた測定機器４の取付台（図示せず）に備えられたものについては、基準判定棒は強固な部品上で相互に平行に保たれている。
【００２９】
一般に、ゲージ３の長さ測定は対向した２つの探触子４Ａ、４Ｂを用いて実施され、測定対象ゲージがこれらの探触子の間に持ち込まれた後に、各々の探触子が長さを決定する２つの対向面２Ａ、２Ｂ、３Ａ、３Ｂの１つの表面に支承して置かれる。
【００３０】
前記機器は、一方で探触子をゲージの対向面に接触させ、他方で測定終了後に探触子を後退させるために、とりわけ自動制御される手段から成る。
【００３１】
すでに述べられたように、ゲージ３の長さ測定は、好ましくは多数の点３Ｃ、３Ｄの点の間で行なわれ、例えば、直方体ゲージ３については、対向面３Ａ、３Ｂの対角線の頂点に位置する点３Ｃの間、およびこれらの面の対角線の交点３Ｄに位置する点の間である。
【００３２】
顕著なやり方では、シャブロン６は、相互に別々に移動され得る少なくとも２つの別個の部品６１、６２、すなわち
-   測定テーブル５上で基準ゲージ２の側面を保持するための止め具６１Ａから成る第１の部品６１と、
-   少なくとも１つの検査対象ゲージ３の側面を保持するための止め具から成る第２の部品６２と称される少なくとも１つの別の部品とで構成されている。
【００３３】
別の顕著なやり方では、シャブロン６は、相互に別々に移動され得る少なくとも２つの別個の部品６１、６２、すなわち
-   一方で、測定テーブル５上で基準ゲージ２の側面を保持するための止め具６１Ａから成り、他方で、第１の移動軸線Ａ１に従って誘導手段７と協働する第１の部品６１と、
-   一方で、少なくとも１つの検査対象ゲージ３の側面を保持するための止め具から成り、他方で、測定テーブル５に平行な２本の交差した軸線Ａ２、Ａ３に従って案内手段８と協働し、これらの軸線Ａ２、Ａ３の少なくとも一方のＡ２は前記第１の軸線Ａ１に平行である、第２の部品６２と称される少なくとも１つの別の部品とで構成されている。
【００３４】
本発明は、少なくとも２つの物体の寸法比較のためにこれらの物体を移動する方法にも関する。
【００３５】
この方法によれば、
-   基準ゲージ２をシャブロンの第１の部品６１のカット面に配置し、少なくとも１つの検査対象ゲージ３をシャブロンの第２の部品６２のカット面に配置し、
-   シャブロン６の第１の部品６１の移動により（図１）、基準ゲージ２を少なくとも１つの探触子４Ａ、４Ｂに接触させ、とりわけ次いで、
-   シャブロン６の第２の部品６２への作用により、シャブロンの第１の部品６１と基準ゲージ２を移動させ、１つの検査対象ゲージ３がそれにより置き換えられるようにし（図３Ｂ）、次いで
-   ふたたびシャブロン６の第２の部品６２の移動により、検査対象ゲージを少なくとも１つの別の測定位置へ移動する（図３Ｃ）。
【００３６】
従って、基準ゲージ２が、とりわけシャブロン６の第１の部品６１の移動によって、少なくとも１つの探触子４Ａ、４Ｂに接触させられた後は（図１、３Ａ）、このゲージ２は、シャブロン６の第２の部品６２の移動により、検査対象ゲージ３がそれに置き換えられ（図３Ｂ）、次いで少なくとも１つの別の測定位置へ移動されるように（図３Ｃ）、移動され得ることが理解される。
【００３７】
基準ゲージ２および検査対象ゲージ３は、必要があれば、相互に独立して移動され得ることも同様に理解される。
【００３８】
シャブロン６の第２の部品６２の移動の際には、基準ゲージ２は、測定テーブル５上をもはや無駄に移動されることはない。
【００３９】
図面で、図３Ｂおよび３Ｃを観察することによりこのことが確認される。
【００４０】
案内手段７，８は、詳細には示してない。
【００４１】
当業者であれば求める誘導手段に適した手段を選ぶことができる。
【００４２】
好ましくは、検査対象ゲージと同じ公称寸法の基準ゲージを用いる。
【００４３】
本発明による方法の顕著な形態においては、
-   一方で、
・検査対象ゲージ３の公称寸法とは別の公称寸法の基準ゲージ２、すなわち公称寸法が検査対象ゲージ３とは明らかに差がある基準ゲージ２、および
・測定機器４であって、その少なくとも１つの探触子４Ａ、４Ｂが測定方向に、基準ゲージと検査対象ゲージを区別する公称寸法差のような大きな距離を高い精度で移動させることができる測定機器４を用い、
-   他方で、少なくとも１つの探触子を基準ゲージ２上に支承して測定機器４を校正した後、基準ゲージ２の公称寸法と検査対象ゲージ３の公称寸法との差だけ前記探触子を移動し、次いで、公称寸法差に起因する探触子の移動値を積分しつつ測定を実施する。
【００４４】
「積分しつつ」という表現は、１つおよび／または複数の探触子からの情報の処理操作を意味するもので、これにより、とりわけ測定値表示のために、測定機器が制御された移動の値を抽出し、基準ゲージと検査対象ゲージとの間の公称寸法の公知の差を補償できる。
【００４５】
本発明の好ましい１形態では、長い行程にわたって高精度の少なくとも１つの探触子、例えば増分センサを備えた測定機器４を用いる。
【００４６】
別の顕著なやり方では、
-   シャブロン６は少なくとも２つの別個の部品６１、６２で構成されており、これらは相互に別々に移動させることができ、そのうちの１つの第１の部品６１および少なくとも１つの第２の部品６２は並置可能であり、その目的のために、２本の平行軸線Ａ１、Ａ２に従っての移動の際に、部品６１、６２の一方が他方を押すことができるように協働する移動用留め具６１Ｂ、６２Ｂを対面して有し、
-   シャブロン６の第１の部品６１は、一方では、測定テーブル５上で基準ゲージ２の側面を保持するための止め具６１Ａを含み、他方では、第１の移動軸線Ａ１に従って案内手段７と協働し、
-   シャブロンの各第２の部品６２は、一方では、少なくとも１つの検査対象ゲージ３の側面を保持するための止め具６２Ａを含み、他方では、測定テーブル５に平行な２本の軸線Ａ２、Ａ３に従って案内手段８と協働し、これらの軸線Ａ２、Ａ３の少なくとも１つのＡ２は前記第１の軸線Ａ１と平行である。
【００４７】
好ましくは、装置１は、２つのゲージ２、３の同時移動を引き起こすために、優先的な進行に従ってシャブロン６の移動の案内補助手段９を含む。
【００４８】
この補助手段９は要素９Ａ、９Ｂから成り、これらにより、
-   測定機器４の少なくとも１つの探触子４Ａ、４Ｂのレベルでの基準ゲージ２の位置決めであって、探触子４Ａ、４Ｂを基準ゲージ２の少なくとも１つの対向面２Ａ、２Ｂ上に支承することにより前記ゲージ２上で読み取りを可能にする位置決め、
-   基準ゲージ２の移動および少なくとも１つの検査対象ゲージ３の移動であって、これらを互いに置き換えかつ検査対象ゲージを前記探触子４Ａ、４Ｂのレベルに置き、しかも各読み取り位置に連続的に置くようにする移動が確実になされる。
【００４９】
この補助手段９は要素９Ａ、９Ｂから成り、これらにより、
-   測定機器４の少なくとも１つの探触子４Ａ、４Ｂのレベルでの基準ゲージ２の位置決めであって、探触子４Ａ、４Ｂを基準ゲージ２の少なくとも１つの対向面２Ａ、２Ｂ上に支承することにより前記ゲージ２上で読み取りを可能にする位置決め、
-   基準ゲージ２の移動および少なくとも１つの検査対象ゲージ３の移動であって、これらを互いに置き換えかつ検査対象ゲージを前記探触子４Ａ、４Ｂのレベルに置き、しかも各読み取り位置に連続的に置くようにする移動が確実になされる。
【００５０】
補助手段９は、慣例的に２つの別個の機能要素９Ａ、９Ｂから成り、これらは、一方は、ゲージ２、３のための優先的行程を決定するカム経路９Ａ、および他方は、このカム経路９Ａの読取装置９Ｂであって、これらの要素９Ａ、９Ｂは、装置１の機能要素と一体となっており、協働し、かつシャブロン６のため、従って少なくとも１つの探触子４Ａ、４Ｂ方向へのゲージの移動のための行程を優先するようになっている。
【００５１】
有利には、一方では、カム経路９Ａは、シャブロン６中に設けられたカット面６２Ｃの側面９Ａで構成され、他方では、読取装置９Ｂは、測定テーブル５に少なくとも間接的に連結されているローラで構成される。
【００５２】
顕著なやり方では、優先的な行程に従っての移動の案内補助手段９の影響下に置かれるのは、シャブロン６の少なくとも１つの第２の部品６２である。
【００５３】
さらに顕著なやり方では、少なくとも１つの軸線Ａ２、Ａ３に従っての２つのゲージ２、３の同時移動を引き起こすために、優先的な行程に従ってのシャブロン６の移動の案内補助手段９から装置１が成る場合、この手段９の少なくとも１つの要素９Ａ、９Ｂから成るのは、シャブロン６の第２の部品６２である。
【００５４】
顕著なやり方では、
-   シャブロン６の第１の部品６１は、１つのプレート６１で構成され、これはほぼ長方形の四辺形であり、一方で、周囲の面が基準ゲージ２の側面を保持するための止め具６１Ａを構成し、他方で、第１の移動軸線Ａ１に従って案内手段７と協働し、
-   シャブロン６の少なくとも１つの第２の部品６２は、１つのプレート６２で構成され、これは、一方で、周囲の面が少なくとも１つの検査対象ゲージ３の側面を保持するための止め具６２Ａを構成し、他方で、測定テーブル５に平行な２本の交差した軸線Ａ２、Ａ３に従って案内手段８と協働し、これらの軸線Ａ２、Ａ３の少なくとも１つのＡ２は前記第１の軸線Ａ１に平行であり、
-   前記プレートは、方向付けられかつそれらの案内手段と連結されており、これらが協働できる２つの縁部６１Ａ、６２Ｂを対面させ、２本の平行軸線Ａ１、Ａ２に従っての移動の際に部品６１、６２の一方が他方を押せるようになっている。
【００５５】
有利には、案内補助手段９を備えたシャブロン６の第２の部品６２を構成するプレートは、側面９Ａがカムの経路９Ａを構成しているカット面６２Ｃから成り、他方で、読取装置９Ｂは、測定テーブル５に少なくとも間接的に連結されたローラを構成する。
【００５６】
好ましくは、プレート６１、６２の各々は、１つの操作ボタン６１Ｄ、６２Ｄを含む。
【図面の簡単な説明】
【図１】  本発明の装置の平面図。
【図２】  本発明の装置の側面図。
【図３】  本発明の装置を実施の３段階において縮小して示す平面図。
【図１】
0003956008.tif 000002
【図２】
0003956008.tif 000003
【図３】
0003956008.tif 000004